(57)【要約】【課題】  地図データの不正な使用を防止する。【解決手段】  予め、装置本体１０に設けたフラッシュメモリ１６とハードディスク装置１１とに、装置本体１０の製造シリアルナンバを装置本体固有の識別コードとして書き込んでおく。装置本体１０がカーバッテリと接続されると、制御部１５はフラッシュメモリ１６とハードディスク装置１１の識別コードを読み出して照合し、一致したときハードディスク装置１１を地図データ読み出し許可モードに設定しておき、ＡＣＣ電源が立ち上がったとき、地図データを用いて地図画像を描画し表示させるが、一致しないとき地図データ読み出し禁止モードに設定しておき、ＡＣＣ電源が立ち上がったとき、地図データを用いた地図画像の描画を禁止し、地図表示を禁止する。【選択図】        図１
2006133091.tif 000002
【特許請求の範囲】
【請求項１】
現在位置を検出する検出手段と、地図データを記憶する大容量の地図データ記憶手段と、地図画像を表示する表示手段と、現在位置周辺の地図データを用いて地図画像を描画し表示手段に表示させる地図表示制御手段と、を備えたナビゲーション装置において、
前記地図データ記憶手段に該地図データ記憶手段毎に異なる固有の第１の識別情報と、装置本体毎に異なる固有の第２の識別情報を記憶しておくとともに、
前記地図データ記憶手段とは別に設けられて、前記第１の識別情報と前記第２の識別情報を記憶した識別情報記憶手段と、
前記地図データ記憶手段と前記識別情報記憶手段に記憶された第１の識別情報同士を照合するとともに第２の識別情報同士を照合する照合手段と、
前記照合手段で第１の識別情報と第２の識別情報のいずれか一方が一致しないか両方が一致しない場合、前記表示手段での地図画像の表示を禁止する禁止手段と、
を備えたことを特徴とするナビゲーション装置。
【請求項２】
現在位置を検出する検出手段と、地図データを記憶する大容量の地図データ記憶手段と、地図画像を表示する表示手段と、現在位置周辺の地図データを用いて地図画像を描画し表示手段に表示させる地図表示制御手段と、を備えたナビゲーション装置において、
前記地図データ記憶手段に該地図データ記憶手段毎に異なる固有の識別情報を記憶しておくとともに、
前記地図データ記憶手段とは別に設けられて、前記識別情報を記憶した識別情報記憶手段と、
前記地図データ記憶手段と前記識別情報記憶手段に記憶された識別情報同士を照合する照合手段と、
前記照合手段で識別情報が一致しない場合、前記表示手段での地図画像の表示を禁止する禁止手段と、
を備えたことを特徴とするナビゲーション装置。
【請求項３】
現在位置を検出する検出手段と、地図データを記憶する大容量の地図データ記憶手段と、地図画像を表示する表示手段と、現在位置周辺の地図データを用いて地図画像を描画し表示手段に表示させる地図表示制御手段と、を備えたナビゲーション装置において、
前記地図データ記憶手段に予め、装置本体毎に異なる固有の識別情報を記憶しておくとともに、
前記地図データ記憶手段とは別に設けられて、前記識別情報を記憶した識別情報記憶手段と、
前記地図データ記憶手段と前記識別情報記憶手段に記憶された識別情報同士を照合する照合手段と、
前記照合手段で識別情報が一致しない場合、前記表示手段での地図画像の表示を禁止する禁止手段と、
を備えたことを特徴とするナビゲーション装置。
【請求項４】
現在位置を検出する検出手段と、地図データを記憶する大容量の地図データ記憶手段と、地図画像を表示する表示手段と、現在位置周辺の地図データを用いて地図画像を描画し表示手段に表示させる地図表示制御手段と、地図データ記録媒体から地図データの読み取りを行う読み取り手段と、読み取り手段を制御し、地図データ記録媒体から地図データを読み取らせて地図データ記憶手段に書き込む地図データ書き込み手段と、を備えたナビゲーション装置において、
前記地図データ記憶手段に該地図データ記憶手段毎に異なる固有の第１の識別情報と、装置本体毎に異なる固有の第２の識別情報を記憶しておくとともに、
前記地図データ記憶手段とは別に設けられて、前記第１の識別情報と前記第２の識別情報を記憶した識別情報記憶手段と、
前記地図データ記憶手段と前記識別情報記憶手段に記憶された第１の識別情報同士を照合するとともに第２の識別情報同士を照合する照合手段と、
前記照合手段で第１の識別情報と第２の識別情報のいずれか一方が一致しないか両方が一致しない場合、前記表示手段での地図画像の表示を禁止する禁止手段と、
を備えたことを特徴とするナビゲーション装置。
【請求項５】
現在位置を検出する検出手段と、地図データを記憶する大容量の地図データ記憶手段と、地図画像を表示する表示手段と、現在位置周辺の地図データを用いて地図画像を描画し表示手段に表示させる地図表示制御手段と、地図データ記録媒体から地図データの読み取りを行う読み取り手段と、読み取り手段を制御し、地図データ記録媒体から地図データを読み取らせて地図データ記憶手段に書き込む地図データ書き込み手段と、を備えたナビゲーション装置において、
前記地図データ記憶手段に該地図データ記憶手段毎に異なる固有の識別情報を記憶しておくとともに、
前記地図データ記憶手段とは別に設けられて、前記識別情報を記憶した識別情報記憶手段と、
前記地図データ記憶手段と前記識別情報記憶手段に記憶された識別情報同士を照合する照合手段と、
前記照合手段で識別情報が一致しない場合、前記表示手段での地図画像の表示を禁止する禁止手段と、
を備えたことを特徴とするナビゲーション装置。
【請求項６】
現在位置を検出する検出手段と、地図データを記憶する大容量の地図データ記憶手段と、地図画像を表示する表示手段と、現在位置周辺の地図データを用いて地図画像を描画し表示手段に表示させる地図表示制御手段と、地図データ記録媒体から地図データの読み取りを行う読み取り手段と、読み取り手段を制御し、地図データ記録媒体から地図データを読み取らせて地図データ記憶手段に書き込む地図データ書き込み手段と、を備えたナビゲーション装置において、
前記地図データ記憶手段に予め、装置本体毎に異なる固有の識別情報を記憶しておくとともに、
前記地図データ記憶手段とは別に設けられて、前記識別情報を記憶した識別情報記憶手段と、
前記地図データ記憶手段と前記識別情報記憶手段に記憶された識別情報同士を照合する照合手段と、
前記照合手段で識別情報が一致しない場合、前記表示手段での地図画像の表示を禁止する禁止手段と、
を備えたことを特徴とするナビゲーション装置。
【発明の詳細な説明】
【技術分野】
【０００１】
本発明はナビゲーション装置に係り、とくにハードディスク装置の如く大容量な記憶装置に記憶させて使用する地図データが、正規の使用権を持たないユーザに不正に使用されないようにしたナビゲーション装置に関する。
【背景技術】
【０００２】
近年カーナビゲーション装置に用いられる地図データは、地図画像の３次元表示等のため大容量化が進んでいる。このため、地図データを高速に読み出してリアルタイムで複雑な地図表示を可能とするため大容量のハードディスク装置を設けて、地図データを全てハードディスク装置に書き込んでおき、必要な地図データをハードディスク装置から高速に読み出して地図画像を描画するようにしたカーナビゲーション装置が実用化されている。
【０００３】
道路の新設、都市開発等で地図は定期に更新されるため、ハードディスク装置に書き込まれている地図データも随時更新される。更新はハードディスク装置をカーナビゲーション装置本体から取り外し、メーカに送付してメーカ側で地図データを更新してもらい、返却されたハードディスク装置を本体に取り付けて行うか、メーカ側より更新用地図データを記録した記録媒体を入手し、該記録媒体からカーナビゲーション装置へインストールして行う。
【０００４】
ところで、ハードディスク装置に地図データを書き込んで使用するようにしたカーナビゲーション装置の場合、或る正規ユーザのカーナビゲーション装置から地図データの書き込まれたハードディスク装置を取り外し、他人のカーナビゲーション装置に取り付ければ、当該他人は正規ユーザから貰い受けたハードディスク装置の地図データを不正に使用できてしまう。
また、更新用地図データを記録した記録媒体からカーナビゲーション装置へインストールして地図データの更新を行う場合、著作権の管理から１つの記録媒体で複数のカーナビゲーション装置の地図更新を行わせないように、記録媒体とカーナビゲーション装置の製造シリアルナンバを対応付けて、記録媒体からの地図更新を１つのカーナビゲーション装置のみ可能とする技術が提案されている。しかし、この場合も、記録媒体と対応付けられたカーナビゲーション装置のハードディスク装置を他のカーナビゲーション装置のハードディスク装置と交換することにより、１つの記録媒体から複数のハードディスク装置に対しての地図データの更新が出来てしまう。
この結果、地図データの著作権の所有者の権利が容易に侵害されてしまうという問題があった。
【０００５】
【特許文献１】特開２００１−１６５６６９号公報
【特許文献２】特開２００２−３５７４２８号公報
【発明の開示】
【発明が解決しようとする課題】
【０００６】
本発明は上記した従来技術の問題に鑑み、地図データ記憶手段の取り替えによる不正な地図データの使用を防止できるナビゲーション装置を提供することを、その目的とする。
【課題を解決するための手段】
【０００７】
請求項１記載の発明では、現在位置を検出する検出手段と、地図データを記憶する大容量の地図データ記憶手段と、地図画像を表示する表示手段と、現在位置周辺の地図データを用いて地図画像を描画し表示手段に表示させる地図表示制御手段と、を備えたナビゲーション装置において、前記地図データ記憶手段に該地図データ記憶手段毎に異なる固有の第１の識別情報と、装置本体毎に異なる固有の第２の識別情報を記憶しておくとともに、前記地図データ記憶手段とは別に設けられて、前記第１の識別情報と前記第２の識別情報を記憶した識別情報記憶手段と、前記地図データ記憶手段と前記識別情報記憶手段に記憶された第１の識別情報同士を照合するとともに第２の識別情報同士を照合する照合手段と、前記照合手段で第１の識別情報と第２の識別情報のいずれか一方が一致しないか両方が一致しない場合、前記表示手段での地図画像の表示を禁止する禁止手段と、を備えたことを特徴としている。
請求項２記載の発明では、地図データ記憶手段に該地図データ記憶手段毎に異なる固有の識別情報を記憶しておくとともに、前記地図データ記憶手段とは別に設けられて、前記識別情報を記憶した識別情報記憶手段と、前記地図データ記憶手段と前記識別情報記憶手段に記憶された識別情報同士を照合する照合手段と、前記照合手段で識別情報が一致しない場合、前記表示手段での地図画像の表示を禁止する禁止手段と、を備えたことを特徴としている。
請求項３記載の発明では、地図データ記憶手段に予め、装置本体毎に異なる固有の識別情報を記憶しておくとともに、前記地図データ記憶手段とは別に設けられて、前記識別情報を記憶した識別情報記憶手段と、前記地図データ記憶手段と前記識別情報記憶手段に記憶された識別情報同士を照合する照合手段と、前記照合手段で識別情報が一致しない場合、前記表示手段での地図画像の表示を禁止する禁止手段と、を備えたことを特徴としている。
【０００８】
請求項４記載の発明では、現在位置を検出する検出手段と、地図データを記憶する大容量の地図データ記憶手段と、地図画像を表示する表示手段と、現在位置周辺の地図データを用いて地図画像を描画し表示手段に表示させる地図表示制御手段と、地図データ記録媒体から地図データの読み取りを行う読み取り手段と、読み取り手段を制御し、地図データ記録媒体から地図データを読み取らせて地図データ記憶手段に書き込む地図データ書き込み手段と、を備えたナビゲーション装置において、前記地図データ記憶手段に該地図データ記憶手段毎に異なる固有の第１の識別情報と、装置本体毎に異なる固有の第２の識別情報を記憶しておくとともに、前記地図データ記憶手段とは別に設けられて、前記第１の識別情報と前記第２の識別情報を記憶した識別情報記憶手段と、前記地図データ記憶手段と前記識別情報記憶手段に記憶された第１の識別情報同士を照合するとともに第２の識別情報同士を照合する照合手段と、前記照合手段で第１の識別情報と第２の識別情報のいずれか一方が一致しないか両方が一致しない場合、前記表示手段での地図画像の表示を禁止する禁止手段と、を備えたことを特徴としている。
請求項５記載の発明では、地図データ記憶手段に該地図データ記憶手段毎に異なる固有の識別情報を記憶しておくとともに、前記地図データ記憶手段とは別に設けられて、前記識別情報を記憶した識別情報記憶手段と、前記地図データ記憶手段と前記識別情報記憶手段に記憶された識別情報同士を照合する照合手段と、前記照合手段で識別情報が一致しない場合、前記表示手段での地図画像の表示を禁止する禁止手段と、を備えたことを特徴としている。
請求項６記載の発明では、地図データ記憶手段に予め、装置本体毎に異なる固有の識別情報を記憶しておくとともに、前記地図データ記憶手段とは別に設けられて、前記識別情報を記憶した識別情報記憶手段と、前記地図データ記憶手段と前記識別情報記憶手段に記憶された識別情報同士を照合する照合手段と、前記照合手段で識別情報が一致しない場合、前記表示手段での地図画像の表示を禁止する禁止手段と、を備えたことを特徴としている。
請求項１乃至６において、禁止手段による地図画像表示の禁止は、例えば地図画像表示制御手段が地図データ記憶手段に記憶された地図データを用いて地図画像を描画するのを禁止して行っても良く、或いは、表示手段の電源を強制的にオフすることで行っても良い。
【発明の効果】
【０００９】
本発明によれば、ハードディスク装置に記憶された固有の識別情報がハードディスク装置とは別に設けられた識別情報記憶手段に記憶された固有の識別情報と一致しないと、地図データ記憶手段に記憶された地図データを用いて地図画像の表示をすることができない。よって、正規ユーザから貰い受けた地図データ記憶手段を他人が自身のナビゲーション装置に取り付けても、地図表示させることはできず、不正な地図データの使用を防止できる。
【発明を実施するための最良の形態】
【００１０】
カーナビゲーション装置において、カーナビゲーション装置本体毎に異なる装置本体固有の第１の識別コード（ナビゲーション装置本体の製造シリアルナンバ）と、ハードディスク装置毎に異なるハードディスク装置固有の第２の識別コード（ハードディスク装置の製造シリアルナンバ）の両者を、カーナビゲーション装置本体のフラッシュメモリに記憶させておくとともにハードディスク装置にも記憶させておく。カーナビゲーション装置本体がカーバッテリと接続され、パワーオンリセットが掛かると、装置本体の制御部によりフラッシュメモリとハードディスク装置に記憶された第１の識別コードが照合され、フラッシュメモリとハードディスク装置に記憶された第２の識別コードが照合される。両者とも一致すると、ハードディスク装置が地図データの読み出し許可モードに設定され、いずれか一方が一致しないか両方とも一致しないと、ハードディスク装置が地図データの読み出し禁止モードに設定される。その後、ＡＣＣ（アクセサリ）スイッチが閉じ、アクセサリ電源が立ち上がると、読み出し許可モードであればハードディスク装置から地図データが読み出されて地図画像が描画されるが、読み出し禁止モードであれば、地図画像の描画はされないようになっている。
【実施例１】
【００１１】
図１は本発明の一つの実施例に係るカーナビゲーション装置の構成図である。
１はユーザの所有するカーナビゲーション装置であり、この内、１０はカーナビゲーション装置本体（以下、「装置本体」という）、２０は地図画像を表示したり、ＧＵＩ（グラフィカルユーザインタフェース）としての入力操作の支援画面等を表示する表示装置である。装置本体１０の内、１１は地図データを記憶するための大容量のハードディスク装置であり、装置本体１０に着脱自在に取り付けられている。ハードディスク装置１１には予めメーカ側で出荷時に、地図データと、ハードディスク装置毎に異なる固有の第１の識別コード（ここではハードディスク装置の製造シリアルナンバ）と、カーナビゲーション装置本体毎に異なる固有の第２の識別コード（カーナビゲーション装置本体の製造シリアルナンバ）が書き込まれている。２は更新用地図データの記録されたＤＶＤ−ＲＯＭ（以下、地図更新用ＤＶＤ−ＲＯＭという）である。１２は衛星航法で現在位置を検出するＧＰＳ受信部、１３はＤＶＤ−ＲＯＭの読み取りを行うＤＶＤ−ＲＯＭドライブ部、１４はキー入力を行う入力部、１５は現在位置周辺の地図表示のためのナビゲーション制御処理、ハードディスク装置１１の正規ユーザの認証処理、地図データ更新制御処理等を行うマイコン構成の制御部、１６はフラッシュメモリであり、予め、メーカ側で出荷時に、前記第１の識別コードと前記第２の識別コードが書き込まれている。
【００１２】
１７はバックアップ電源用直流安定化電源回路であり、カーバッテリ３０の＋端子と接続されて、所定電圧のバックアップ用電源電圧を形成し、制御部１５、フラッシュメモリ１６、ハードディスク装置１１に供給する。１８はメイン電源用直流安定化電源回路であり、ＡＣＣスイッチ３１の出力側に接続されて、ＡＣＣ電源から所定電圧のメイン電源用直流電圧を形成し、ＧＰＳ受信部１２、ＤＶＤ−ＲＯＭドライブ部１３、入力部１４、表示装置２０に供給する。
【００１３】
制御部１５はカーナビゲーション装置が車両に取り付けられてカーバッテリ３０の＋端子がバックアップ電源用直流安定化回路１７に接続されてバックアップ電源電圧が立ち上がると、パワーオンリセットが掛かり、所定のリセット動作をするとともにフラッシュメモリ１６とハードディスク装置１１に記憶された第１、第２の認証コードを用いてハードディスク装置１１の正規ユーザの認証を行う。正規ユーザと認証されれば、ハードディスク装置１１を地図データの読み出し許可モードに設定し、認証されなければ地図データの読み出し禁止モードに設定する。また、ＡＣＣスイッチ３１が閉じ、メイン電源電圧が立ち上がると、ハードディスク装置１１が地図データの読み出し許可モードに設定されていれば、ナビゲーションモードとなり、ＧＰＳ受信部１２で検出した現在位置データに基づき、ハードディスク装置１１から現在位置周辺の地図データを読み出し、現在位置周辺の地図画像を現在位置マークとともに描画し、表示装置２０に表示させる。なお、このナビゲーション制御については良く知られているので、詳細な説明は省略する。メイン電源電圧が立ち上がったとき、ハードディスク装置１１が地図データの読み出し禁止モードに設定されていれば、ナビゲーションモードへの移行はしない。
【００１４】
また、制御部１５は、ユーザにより入力部１４のキー操作で地図データの更新が指示されると、ＤＶＤ−ＲＯＭドライブ部１３を制御し該ＤＶＤ−ＲＯＭドライブ部１３にセットされたＤＶＤ−ＲＯＭ３から更新用地図データを読み出し、ハードディスク装置１１に書き込んでインストールする。
【００１５】
図２は制御部１５によるバックアップ電源電圧立ち上がり時の処理を示すフローチャート、図３は制御部１５によるメイン電源電圧立ち上がり時の処理を示すフローチャート、図４は表示装置２０に表示される画面の説明図、図５はハードディスク装置１１の正規ユーザの認証動作の説明図であり、以下、これらの図を参照してこの実施例の動作を説明する。
なお、ハードディスク装置１１とフラッシュメモリ１６には予めメーカ側で出荷時に、地図データと、ハードディスク装置毎に異なる固有の第１の識別コード（ここでは、ハードディスク装置の製造シリアルナンバ）と、カーナビゲーション装置本体毎に異なる固有の第２の識別コード（ここでは、カーナビゲーション装置本体の製造シリアルナンバ）が書き込まれており、ハードディスク装置１１には、地図データも書き込まれているものとする。
また、フラッシュメモリ１６とハードディスク装置１１には、ハードディスク装置１１が地図データの読み出し禁止モードか許可モードかを示すフラグＦ（０；禁止、１；許可）を格納する領域が設けられているものとし、予め、メーカ側で出荷時にＦがブランクとされているものとする。
【００１６】
（１）バックアップ電源電圧立ち上がり時の処理
ハードディスク装置１１が取り付けられた装置本体１０と表示装置２０を車両に設置し、装置本体１０に表示装置２０を接続したのち、カーバッテリ３０の＋端子をバックアップ電源用直流安定化電源回路１７に接続すると、バックアップ電源電圧が立ち上がり、制御部１５は図２に示すフローに従い所定のリセット処理を行ったあと（ステップＳ１０）、フラッシュメモリ１６に記憶された第１の識別コードとハードディスク装置１１に記憶された第１の識別コードを読み出して一致するか照合する（ステップＳ１１、Ｓ１２）。一致しなければ、正規ユーザでない他人のハードディスク装置と交換されていると判断し、ハードディスク装置１１を地図データの読み出し禁止モードに設定する。この地図データの読み出し禁止モードの設定は、ここではフラッシュメモリ１６とハードディスク装置１１にフラグＦ＝０を書き込むことで行う（ステップＳ１３）。
ステップＳ１２で一致したときは、更にフラッシュメモリ１６に記憶された第２の識別コードとハードディスク装置１１に記憶された第２の識別コードを読み出して一致するか照合する（ステップＳ１４、Ｓ１５）。一致しなければ、正規ユーザでない他人のハードディスク装置と交換されていると判断し、ハードディスク装置１１を地図データの読み出し禁止モードに設定する（ステップＳ１３）。
ここでも一致すれば、正規ユーザのハードディスク装置１１が正しくカーナビゲーション装置本体１に取り付けられていると判断し、ハードディスク装置１１を地図データの読み出し許可モードに設定する。この地図データの読み出し許可モードの設定は、フラッシュメモリ１６とハードディスク装置１１にフラグＦ＝１を書き込むことで行う（ステップＳ１６）。
【００１７】
（２）メイン電源電圧立ち上がり時の処理
その後、ＡＣＣスイッチ３１のＡＣＣ電源電圧の出力側にメイン電源用直流安定化電源回路１８が接続され、ユーザがＡＣＣスイッチ３１を閉じたとき、メイン電源電圧が立ち上がり、制御部１５は図３に示すフローに従い、まずフラッシュメモリ１６とハードディスク装置１１のフラグＦを読み出してチェックし（ステップＳ２０、Ｓ２１）、ともに１であればハードディスク装置１１が地図データの読み出し許可モードに設定されていると判断し（ステップＳ２１でＹＥＳ）、ナビゲーションモードに移行して、ＧＰＳ受信部１２で検出した現在位置データに基づき、ハードディスク装置１１から現在位置周辺の地図データを読み出し、現在位置周辺の地図画像を現在位置マークとともに描画し、表示装置２０に表示させる（ステップＳ２２）。
これと異なり、フラッシュメモリ１６とハードディスク装置１１のいずれかまたは両方のＦが０のとき、地図データの読み出し禁止モードに設定されていると判断し（ステップＳ２１でＮＯ）、ハードディスク装置１１からの地図データの読み出しはせず、画面に「不正なハードディスク装置が取り付けられています。正規なものと交換してください」の警告文を表示させる（ステップＳ２３）。
【００１８】
（３）更新用地図データのインストール
ＡＣＣスイッチ３１が閉じた状態で、ユーザがハードディスク装置１１の地図データを新たなバージョンに更新したい場合、メーカから地図更新用ＤＶＤ−ＲＯＭ３を入手する。そして、ＡＣＣスイッチ３１が閉じ、ナビゲーションモードとなっている状態で、ＤＶＤ−ＲＯＭドライブ部１３にセットし、入力部１４のキー入力操作で地図更新を指示する。すると、制御部１５はＤＶＤ−ＲＯＭドライブ部１３に地図更新用ＤＶＤ−ＲＯＭ３がセットされているかチェックし（ステップＳ２４、Ｓ２５）、ＹＥＳであればＤＶＤ−ＲＯＭドライブ部１３を制御して地図更新用ＤＶＤ−ＲＯＭ３から更新用地図データを読み取り、ハードディスク装置１１に書き込んで地図データの更新をする（ステップＳ２６）。この際、ハードディスク装置１１に予め書き込まれている第１の認証コード、第２の認証コード、フラグＦはハードディスク装置１１に残される。以降のナビゲーションモード時、更新された地図データに基づく地図表示がされる。
【００１９】
（４）具体例
図５を参照してより具体的に説明すると、例えば、第１の識別コード「ｈｄ０００４３５」、第２の識別コード「ａｂｃ０００１２３」が書き込まれたハードディスク装置１１Ａが取り付けられ、フラッシュメモリ１６Ａに第１の識別コード「ｈｄ０００４３５」、第２の識別コード「ａｂｃ０００１２３」が書き込まれたカーナビゲーション装置本体１Ａを所有するユーザＡは、カーナビゲーション装置本体１０Ａを車両に取り付け、カーバッテリ３０に接続すると、図２のステップＳ１２とＳ１５でＹＥＳとなるので、フラッシュメモリ１６にハードディスク装置１１Ａが地図データ読み出し許可モードに設定されていることを示すフラグＦ＝１が登録される（ステップＳ１６）。よって、ユーザＡはＡＣＣスイッチ３１をオンすることで、地図画像を見ることができ、地図データの更新をすることもできる。
【００２０】
これとは別に、例えば、第１の識別コード「ｈｄ０００６７８」、第２の識別コード「ａｂｃ０００３１６」が書き込まれたハードディスク装置１１Ｂが取り付けられ、フラッシュメモリ１６Ｂに第１の識別コード「ｈｄ０００６７８」、第２の識別コード「ａｂｃ０００３１６」が書き込まれたカーナビゲーション装置本体１Ｂを所有するユーザＢは、ユーザＡから地図更新前又は更新後のハードディスク装置１１Ａを貰い受けてカーナビゲーション装置本体１０Ｂのハードディスク装置１１Ｂと交換しても、カーナビゲーション装置本体１０Ｂをカーバッテリ３０に接続すると、図２のステップＳ１２でＮＯとなるので、フラッシュメモリ１６にハードディスク装置１１Ａが地図データ読み出し禁止モードに設定されていることを示すフラグＦ＝０が登録される（ステップＳ１６）。よって、ユーザＢはＡＣＣスイッチ３１をオンしても地図画像を見ることができず、ハードディスク装置１１Ａへの地図データの更新もできない。万一、ハードディスク装置１１Ａの第１の識別データが何らかの原因で壊れておりステップＳ１２でＹＥＳとなっても、ステップＳ１５でＮＯとなるため、フラッシュメモリ１６にハードディスク装置１１Ａが地図データ読み出し禁止モードに設定されていることを示すフラグＦ＝０が登録されるため（ステップＳ１６）、不正にハードディスク装置１１Ａの地図データが使用されることはない。
【００２１】
この実施例によれば、カーナビゲーション装置本体１０とハードディスク装置１１に記憶された第１の識別コードが一致し、かつカーナビゲーション装置本体１０とハードディスク装置１１に記憶された第２の識別コードが一致しないと、ハードディスク装置１１に予めメーカ側で書き込まれた地図データまたはユーザが後からハードディスク装置１１にインストールして更新させた地図データを用いて地図画像の描画をすることができない。よって、正規ユーザから貰い受けたハードディスク装置１１を他人が自身のナビゲーション装置本体１０に取り付けても、地図表示させることはできず、不正な地図データの使用を防止できる。
【００２２】
なお、上記した実施例では、フラッシュメモリとハードディスク装置の双方に、第１の識別コードと第２の識別コードの両方を書き込んでおき、二重照合することでハードディスク装置の正規ユーザかの認証判断の信頼性を高めたが、フラッシュメモリとハードディスク装置に、第１の識別コードと第２の識別コードのいずれか一方だけ書き込んでおくようにしても良く、例えば、フラッシュメモリとハードディスク装置に第１の識別コードだけ書き込んでおく場合、図２のステップＳ１４、Ｓ１５は省略し、ステップＳ１２でＹＥＳであれば、ステップＳ１６へ進み、ＮＯであれば、ステップＳ１３へ進むようにすれば良い。反対に、フラッシュメモリとハードディスク装置に第２の識別コードだけ書き込んでおく場合、図２のステップＳ１１、Ｓ１２は省略し、ステップＳ１５でＹＥＳであれば、ステップＳ１６へ進み、ＮＯであれば、ステップＳ１３へ進むようにすれば良い。
【００２３】
また、上記した実施例では、バックアップ電源立ち上がり時に、ハードディスク装置の正規ユーザの認証に失敗したとき、ハードディスク装置を地図データの読み出し禁止モードに設定しておくことで、メイン電源立ち上がり時に、制御部がハードディスク装置の地図データを用いて地図画像を描画出来ないようにして、表示装置に地図画像が表示されるのを禁止したが、これと異なり、例えば、装置本体内に表示装置へのメイン電源供給をオン・オフする電源スイッチを設け、ハードディスク装置の正規ユーザの認証に失敗したとき、当該電源スイッチを強制的に開とし、認証に成功したとき、当該電源スイッチを閉とするようにして、メイン電源立ち上がり時に、表示装置に地図画像が表示されるのを禁止するようにしても良い。
【００２４】
また、上記した実施例では、地図更新用ＤＶＤ−ＲＯＭ２から地図データを更新する際、フラッシュメモリとハードディスク装置に書きこんであるフラグＦがともに１となっているときに地図インストールを実行するようにしたが、これと異なり、１枚の地図更新用ＤＶＤ−ＲＯＭを１台のカーナビゲーション装置本体と一対一に対応付けるため、地図更新用ＤＶＤ−ＲＯＭに、該地図更新用ＤＶＤ−ＲＯＭの正規ユーザの所有するカーナビゲーション装置本体の製造シリアルナンバを認証コードとして記録しておき、地図更新が指示されると、制御部はフラッシュメモリに記憶された装置本体の製造シリアルナンバと地図更新用ＤＶＤ−ＲＯＭから読み出した認証コードを照合し、一致したときだけ地図データのインストールを実行するようにしても良い。
【産業上の利用可能性】
【００２５】
本発明は、カーナビゲーション装置、船舶用ナビゲーション装置などに適用できる。
【図面の簡単な説明】
【００２６】
【図１】本発明に係るカーナビゲーション装置の構成図である（実施例１）。
【図２】制御部によるバックアップ電源電圧立ち上がり時の処理を示すフローチャートである。
【図３】制御部によるメイン電源電圧立ち上がり時の処理を示すフローチャートである。
【図４】表示装置の表示例を示す説明図である。
【図５】ハードディスク装置の正規ユーザ認証動作の具体的説明図である。
【符号の説明】
【００２７】
１  カーナビゲーション装置
２  地図更新用ＤＶＤ−ＲＯＭ
１０、１０Ａ、１０Ｂ  カーナビゲーション装置本体
１１、１１Ａ、１１Ｂ  ハードディスク装置
１２  ＧＰＳ受信部
１３  ＤＶＤドライブ部
１４  入力部
１５  制御部
１６、１６Ａ、１６Ｂ  フラッシュメモリ
２０  表示装置
３０  カーバッテリ
３１  ＡＣＣスイッチ
【図１】
2006133091.tif 000003
【図２】
2006133091.tif 000004
【図３】
2006133091.tif 000005
【図４】
2006133091.tif 000006
【図５】
2006133091.tif 000007